(57)【要約】【課題】自己粘着性を有する吊り下げ用フックを使用しつつ、さまざまな用途に最適な吊り下げ用フック及びその使用法を提供する。【解決手段】本発明は、折り畳み線を境にして折り畳み可能な２つの部分を有する１枚のシートからなる吊り下げ用フック（１）である。前記２つの部分のうち、第１部分（４）はフック（３）を有し、第２部分（５）はフックを有さない。前記第１部分（４）及び第２部分（５）のいずれかの裏面に自己粘着性樹脂からなる自己粘着面を設けている。本発明はまたこの吊り下げ用フックの使用法を含む。【選択図】  図１
2019111019.tif 000002
【特許請求の範囲】
【請求項１】
折り畳み線（２）を境にして折り畳み可能な２つの部分を有する１枚のシートからなる吊り下げ用フック（１，１Ａ，１Ｂ）であって、前記２つの部分のうち、第１部分（４，４Ａ，４Ｂ）はフック（３，３Ａ，３Ｂ）を有し、第２部分（５，５Ａ，５Ｂ）はフックを有さないものにおいて、
前記第１部分（４，４Ａ，４Ｂ）及び前記第２部分（５，５Ａ，５Ｂ）のいずれかの裏面に自己粘着性樹脂からなる自己粘着面を設けていることを特徴とする吊り下げ用フック（１，１Ａ，１Ｂ）。
【請求項２】
前記第１部分（４，４Ｂ）の裏面が自己粘着面であり、前記第２部分（５，５Ｂ）の裏面は非粘着面である請求項１記載の吊り下げ用フック（１，１Ｂ）。
【請求項３】
前記第２部分（５Ａ）の裏面が自己粘着面であり、前記第１部分（４Ａ）の裏面は非粘着面である請求項１記載の吊り下げ用フック（１Ａ）。
【請求項４】
請求項１又は２記載の吊り下げ用フック（１，１Ｂ）の使用法であって、
前記第１部分（４）の裏面を自己粘着面とするとともに、前記第１部分（４）及び第２部分（５）の双方を水平面に乗せることを特徴とする使用法。
【請求項５】
請求項１又は３記載の吊り下げ用フック（１Ａ）の使用法であって、
前記第２部分（５Ａ）の裏面を自己粘着面とするとともに、前記第２部分（５Ａ）のみを水平面に乗せ、前記第１部分（４Ａ）は水平面の末端から下方に吊り下げることを特徴とする使用法。
【請求項６】
請求項１又は２記載の吊り下げ用フック（１，１Ｂ）の使用法であって、
前記第１部分（４Ｂ）の裏面を自己粘着面とするとともに、前記第１部分（４Ｂ）のみを水平面に乗せ、前記第２部分（５Ｂ）は水平面の末端から下方に吊り下げることを特徴とする使用法。
【請求項７】
請求項１〜３のいずれかに記載の吊り下げ用フック（１，１Ａ，１Ｂ）の使用法であって、
前記第１部分（４，４Ａ，４Ｂ）及び前記第２部分（５，５Ａ，５Ｂ）の双方を壁などの垂直面に取り付けることを特徴とする使用法。
【発明の詳細な説明】
【技術分野】
【０００１】
本発明は、カバンや手荷物などをテーブルなどから吊り下げるのに用いるフック及びその使用法に関する。
【背景技術】
【０００２】
レストランなどでテーブルに着いたとき、カバンや手荷物などの置き場に困ることがある。テーブルの上に余裕があるときや使用しない椅子のあるときにはそこを利用すればよいが、ないときには仕方なく床に直に置かざるを得ないこともある。これは不衛生であり、見た目も悪い。このようなときに使用できる携帯型の簡易な吊り下げ具があると好都合である。
【０００３】
吊り下げ具としては吊り下げ用フックが公知である。例えば、次のようなものが知られている。
（従来例１）表側にフック、裏面に粘着剤を有しており、この粘着剤により部屋の壁面などに付着させて使用するもの。
（従来例２）表側にフック、裏面に吸盤を有しており、この吸盤により部屋の壁面などに付着させて使用するもの（例:実開昭６１―１６１４１３）。
（従来例３）複数の金属リンク機構が旋回可能に本体に取り付けられており、使用時にはこのリンク機構を鎖のように展開させて吊り下げるもの（例：特表２０１０―５００１５２）。
【０００４】
上記従来例１では、これをそのまま携帯用に使用すると、粘着力が強すぎて取り外しが難しかったり、取り外したときに粘着剤でテーブルを汚したり、外すときに粘着面の粘着剤を取れて再使用ができなかったりすることが多かった。
【０００５】
上記従来例２では、取り付け対象表面に凹凸があると、吸盤が付着しなかったり、付着してもすぐにはがれたりする問題があった。
【０００６】
上記従来例３は金属製で高級感はあるが、取り付け対象表面に付着させるものではないので、何かの拍子に手荷物が外れてテーブルから落下することがあった。また、金属製なので重量があり、バッグに入れたときに他の物を傷つけることがあった。
【０００７】
本発明は、上記従来例１のタイプの吊り下げフックを改良したものである。この従来例１の問題に対処するために、自己粘着性樹脂を裏面に有する吊り下げ用フックが知られるようになった。これは、粘着性を有しながら、何度でも取りつけや取り外しができ、取り外した後も取り付け表面に汚れを残さないという特長を有するものである。例えば特開２０１６―２４０３参照。
【先行技術文献】
【特許文献】
【０００８】
【特許文献１】実開昭６１―１６１４１３
【特許文献２】特表２０１０―５００１５２
【特許文献３】特開２０１６―２４０３
【発明の概要】
【発明が解決しようとする課題】
【０００９】
本発明は、この自己粘着性を有する吊り下げ用フックを使用しつつ、さらに改良して、冒頭に記したような用途に最適な吊り下げ用フック及びその使用法を提供することを目的とする。
【００１０】
開発にあたって考慮したのは、吊り下げ用フックは貼り付けと剥離を繰り返すことを前提とした物品であり、貼り付け対象物の表面を傷めないためにも、その粘着力は、適切な範囲の粘着力が求められ、過度な粘着力は不要である、ということである。
【課題を解決するための手段】
【００１１】
本発明は、折り畳み線を境にして折り畳み可能な２つの部分を有する１枚のシートからなる吊り下げ用フックであって、前記２つの部分のうち、第１部分はフックを有し、第２部分はフックを有さないものにおいて、前記第１部分及び第２部分のいずれかの裏面に自己粘着性樹脂からなる自己粘着面を設けていることを特徴とする。すなわち、前記第１部分の裏面が自己粘着面であり、前記第２部分の裏面は非粘着面である場合、及び、前記第２部分の裏面が自己粘着面であり、前記第１部分の裏面は非粘着面である場合を含む。
【００１２】
本発明はまた前記吊り下げ用フックの使用法であって、少なくとも次のような態様を含む。
【００１３】
（使用法１）前記第１部分の裏面を自己粘着面とするとともに、前記第１部分及び第２部分の双方を水平面に乗せる。
（使用法２）前記第２部分の裏面を自己粘着面とするとともに、前記第２部分のみを水平面に乗せ、前記第１部分は水平面の末端から下方に吊り下げる。
（使用法３）前記第１部分の裏面を自己粘着面とするとともに、前記第１部分のみを水平面に乗せ、前記第２部分は水平面の末端から下方に吊り下げる。
（使用法４）前記第１部分及び第２部分の双方を壁などの垂直面に取り付ける。
【発明の効果】
【００１４】
本発明の吊り下げ用フックは折り畳み線を境にして折り畳み可能な２つの部分を有する１枚のシートからなるので、携帯時に粘着面を内側にして折り畳んでおけば粘着面が汚れることはない。
【００１５】
また、前記第１部分及び第２部分のいずれかの裏面を非粘着面としているので、吊り下げ用フックを引きはがすときにその非粘着面側を取っ手とすることができる。その結果、さまざまな使用の仕方が可能となった。
【００１６】
さらに、前記使用法１〜３の発明では、粘着面と、手荷物の重力方向が90°の角度となることが多く、手荷物をフックにかけたときに、粘着面を剥離させようとする力が、直角方向に分散される。その結果、粘着力は適度に弱く設定することができ、貼り付け、剥離を繰り返す本物品の使用目的に沿った性能を持たすことができた。
【００１７】
以下、添付の図面に基づき、本発明の実施例を説明する。
【図面の簡単な説明】
【００１８】
【図１】本発明実施例１に係る吊り下げ用フックの使用状態を示す斜視図である。
【図２】同側面図である。
【図３】実施例１に係る吊り下げ用フックの（ａ）底面図、（ｂ）同右側面図、（ｃ）同左側面図、（ｄ）同平面図、（ｅ）側面図である。
【図４】本発明実施例２に係る吊り下げ用フックの使用状態を示す斜視図である。
【図５】同側面図である。
【図６】実施例２に係る吊り下げ用フックの（ａ）底面図、（ｂ）同右側面図、（ｃ）同左側面図、（ｄ）同平面図、（ｅ）側面図である。
【図７】本発明実施例３に係る吊り下げ用フックの使用状態を示す斜視図である。
【図８】同側面図である。
【図９】実施例３に係る吊り下げ用フックの（ａ）底面図、（ｂ）同右側面図、（ｃ）同左側面図、（ｄ）同平面図、（ｅ）側面図である。
【実施例１】
【００１９】
図１〜３に示す実施例１の吊り下げ用フック１は、折り畳み線２を境にして折り畳み可能な２つの部分からなる１枚のシートを有する。表側にフック３が取り付けられているのが第１部分４であり、フック３のない方が第２部分５である。フック３の下部はフック基台３１により保護強化されている。
【００２０】
図２、図３に示すように、第１部分４の裏面のみに自己粘着面４１が設けられており、第２部分５の裏面は自己粘着面とはなっていない。第１部分４の裏面と第２部分５の裏面を折り畳んだときには、第２部分裏面の自己粘着性により両者は互いに付着する。不使用時は、この折り畳んだ状態で吊り下げ用フック１を携帯するので、剥離シートがなくても粘着面が汚れることはない。
【００２１】
本実施例において第２部分５の裏面を自己粘着面にしていない理由は、もしそうすると粘着力が強くなりすぎていったん互いに付着させると剥がせなくなる場合があること、第２部分５は引きはがしのときの取っ手として使うのが好ましいことである。
【００２２】
自己粘着面を構成する自己粘着性樹脂としては、ポリオレフィンエラストマー、ポリエチレンエラストマー、ポリウレタンエラストマー、シリコン樹脂、ブチルゴム、軟質ポリ塩化ビニル、フッ素系樹脂等が挙げられる。このような自己粘着性樹脂は、ゴミ等が付着して自己粘着性が落ちたときは、水洗することにより自己粘着性を簡単に回復することができる利点がある。
【００２３】
自己粘着面を除けば、それ以外の吊り下げフック部材１の素材については、硬質樹脂、軟質樹脂、熱可塑性エラストマー等どのような樹脂でも用いることができ、特に限定されるものではない。例えばポリエチレン、ポリプロピレン、エチレン−酢酸ビニル共重合体樹脂（ＥＶＡ樹脂）、ポリエステル樹脂、スチレン系熱可塑性エラストマー、オレフィン系熱可塑性エラストマー等が挙げられる。
【００２４】
この吊り下げ用フックの使用法は、図１、図２に示すように、第１部分４をテーブルＴ際に置くようにして、第１部分４・第２部分５ともにテーブルＴの上に乗せる。第１部分４の裏面をテーブルＴにしっかりと付着させるが、第２部分５はテーブルＴに付着しない。
【００２５】
この状態で手提げかばんＫの取っ手Ｈをフック３にかけると、手提げかばんＫはテーブルＴから吊り下げられる。引きはがすときには、第２部分５を指で掴んでめくるように第１部分４をテーブルＴから外せばよい。前記したように第２部分５の裏面は付着性を有しないので、遊端側はテーブルＴから少し浮かび上がっており、簡単に指でつまむことができる。
【実施例２】
【００２６】
図１〜３に示す実施例２の吊り下げ用フック１Ａも、実施例１のものとよく似ている。相違点を列挙すれば次のとおりである。
【００２７】
（１）自己粘着面は第１部分（表側にフック３Ａを有する側）４Ａでなく、第２部分５Ａの裏面のみに設けられている。
【００２８】
（２）第２部分５ＡのみがテーブルＴに付着され、第１部分４ＡはテーブルＴから垂れ下がっている。
【００２９】
（３）自己粘着面を有する第２部分５Ａにおいて、粘着面は第２部分５Ａの裏側全体ではなく、テーブル側端部に非粘着面５１Ａが設けられている。
【００３０】
この吊り下げ用フックの使用法は、図４、図５に示すように、第２部分５ＡのみをテーブルＴ際に付着させる。第１部分４Ａはテーブルから垂れ下がる。
【００３１】
この状態で手提げかばんＫの取っ手Ｈをフック３Ａにかけると、手提げかばんＫはテーブルＴから吊り下げられる。引きはがすときには、手提げかばんＫを取り除き、第１部分４Ａを指で掴んでめくるように第２部分５Ｂをテーブルから外せばよい。第１部分の裏面は付着性を有しておらず、遊端側はテーブル側面に付着していないので、簡単に指でつまむことができる。
【実施例３】
【００３２】
図７〜９に示す実施例３の吊り下げ用フック１Ｂは、折り畳み線２Ｂを境にして折り畳み可能な２つの部分からなる１枚のシートを有する。実施例１及び実施例２と比較すると次のような相違がある。
【００３３】
（１）自己粘着面は第１部分（表側にフック３Ｂが取り付けられている側）４Ｂのみに設けられ、第２部分５Ｂの裏面は自己粘着面を有しない。
【００３４】
（２）第１部分４ＢのみがテーブルＴに付着され、第２部分５ＢはテーブルＴから垂れ下がっている。
【００３５】
この状態で手提げかばんＫの取っ手Ｈをフック３Ｂにかけると、手提げかばんＫはテーブルＴから吊り下げられる。引きはがすときには、手提げかばんＫを取り除き、第２部分５Ｂを指で掴んでめくるように第１部分４Ｂをテーブルから外せばよい。第２部分５Ｂの裏面は付着性を有しておらず、遊端側はテーブル側面に付着していないので、簡単に指でつまむことができる。
【実施例４】
【００３６】
上記実施例１〜３の吊り下げフックは、テーブルなどに対して使用することを前提としたものである。しかし、これらの吊り下げフックは必要に応じて、壁などの垂直面に対して使用することができるのはいうまでもない。その場合、第１部分と第２部分は双方ともに垂直面に設けられることになる。
【００３７】
実施例１の形状の吊り下げフックを使用した場合は、テーブルＴを９０度傾けて垂直面としたものを想像すればよい。実施例２、３の形状の吊り下げフックを使用した場合は、吊り下げフックは折り畳み線で９０度曲がることなく、一直線になる。
【符号の説明】
【００３８】
１，１Ａ，１Ｂ       吊り下げ用フック
２，２Ａ，２Ｂ       折り畳み線
３，３Ａ，３Ｂ       フック
３１   フック基台
４，４Ａ，４Ｂ       第１部分
４１   自己粘着面
５，５Ａ，５Ｂ       第２部分
５１Ａ 非粘着面
Ｔ     テーブル
Ｋ     手提げかばん
Ｈ     かばんの取っ手
【図１】
2019111019.tif 000003
【図２】
2019111019.tif 000004
【図３】
2019111019.tif 000005
【図４】
2019111019.tif 000006
【図５】
2019111019.tif 000007
【図６】
2019111019.tif 000008
【図７】
2019111019.tif 000009
【図８】
2019111019.tif 000010
【図９】
2019111019.tif 000011